【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
バルブ装置であって、
流体が通過する流路孔（１４１、１４２、７２２、７２３、７２４、７２５）が少なくとも１つ形成された流路形成部（１４、７２０）が一体または別体に構成されるハウジング（１２、７０１）と、
回転力を出力する駆動部（１６）と、
前記駆動部が出力する回転力によって所定の軸心を中心に回転する回転部（１８、７３０）と、を備え、
前記回転部は、
シャフト（２０、７４０）と、
前記流路形成部のうち前記流路孔が開口する開口面（１４０、７２１）に相対して摺動する摺動面（２２０、７５１）を有し、前記シャフトの回転に伴って前記流路孔の開度を増減する回転子（２２、７５０）と、を含み、
前記回転部の少なくとも一部が前記ハウジングに回転可能に保持されており、
前記シャフトは、前記駆動部から回転力が伝えられる一端側部位（２０ａ）および前記一端側部位とは前記シャフトの軸心方向にて反対となる他端側部位（２０ｂ）を有し、前記他端側部位の少なくとも一部が前記ハウジングに回転可能に保持されており、
前記回転部は、前記他端側部位と前記回転子との間に隙間が形成されるように前記回転子を前記シャフトに連結する中間子（２４）を含み、
前記ハウジングは、前記他端側部位の少なくとも一部を受け入れる端部受入部（１２７、１２８）を有している、バルブ装置。
【請求項２】
前記端部受入部の内側には、前記他端側部位を回転自在に支持する他端側軸受部（１２９）が設けられている、請求項１に記載のバルブ装置。
【請求項３】
前記端部受入部は、前記回転部の回転をガイドする回転ガイドとして機能するように、前記シャフトの径方向において前記回転部の少なくとも一部と重なり合う位置に配置されている、請求項１または２に記載のバルブ装置。
【請求項４】
前記端部受入部は、前記シャフトの軸心方向に沿って延びるとともに前記他端側部位の端面（２０ｄ）に対向する底壁部（１２８ｂ）および前記他端側部位の外周を囲む側壁部（１２８ａ）を有する有底筒状に形成され、前記シャフトの径方向において前記回転子および前記中間子の少なくとも一方と重なり合うように前記回転部の内側に配置されている、請求項１ないし３のいずれか１つに記載のバルブ装置。
【請求項５】
前記中間子は、前記回転子よりも前記シャフトの軸心方向において前記一端側部位に近い位置に設けられ、
前記シャフトは、前記他端側部位の端面が前記シャフトの径方向において前記中間子の内側と重なる位置となるように構成されている、請求項１ないし４のいずれか１つに記載のバルブ装置。
【請求項６】
前記ハウジングの内側には、前記一端側部位を回転自在に支持する一端側軸受部（１２６）が設けられている、請求項１ないし５のいずれか１つに記載のバルブ装置。
【請求項７】
前記回転子は、セラミックによって構成されている、請求項１ないし６のいずれか１つに記載のバルブ装置。
【請求項８】
前記流体と車室外の空気とを熱交換させる室外熱交換器（３０３）および前記車室内へ流れる空気と前記流体とを熱交換させる室内熱交換器（３０４）を含む流体循環回路（３００）に適用されるバルブ装置であって、
前記ハウジングは、
前記室外熱交換器の流体入口側に接続され、前記室外熱交換器へ前記流体を流出させる第１出口部（３１２）と、
前記室内熱交換器の流体入口側に接続され、前記室内熱交換器へ前記流体を流出させる第２出口部（３１３）と、
前記室外熱交換器の流体出口側と前記室内熱交換器の流体出口側に接続され、前記室外熱交換器および前記室内熱交換器から前記流体が流入する入口部（３１１）と、を含み、
前記回転子を回転変位させることで前記室外熱交換器を通過する前記流体と前記室内熱交換器を通過する前記流体の流量割合が調整される、請求項１ないし７のいずれか１つに記載のバルブ装置。
【請求項９】
前記流体と車室外の空気とを熱交換させる室外熱交換器（４０３）、前記流体によって発熱機器（ＣＥ）の温度を調整する温調部（４０６）、および前記室外熱交換器をバイパスして前記流体を流すバイパス部（４２０）を含む流体循環回路（４００）に適用されるバルブ装置であって、
前記ハウジングは、
前記室外熱交換器の流体入口側に接続され、前記室外熱交換器へ前記流体を流出させる第１出口部（４３２）と、
前記バイパス部の流体入口側に接続され、前記バイパス部へ前記流体を流出させる第２出口部（４３３）と、
前記温調部の流体出口側に接続され、前記温調部から前記流体が流入する入口部（４３１）と、を含み、
前記回転子を回転変位させることで前記バイパス部を通過する前記流体と前記室外熱交換器を通過する前記流体の流量割合が調整される、請求項１ないし７のいずれか１つに記載のバルブ装置。
【請求項１０】
前記ハウジングは、
前記流体が流入する第１入口部（７００Ａ）と、
前記流体が流入する第２入口部（７００Ｃ）と、
外部へ前記流体を流出させる少なくとも１つの出口部（７００Ｂ、７００Ｄ、７００Ｅ）と、を含み、
前記第１入口部に連通する第１入口側空間（７１１ａ）および前記第２入口部に連通する第２入口側空間（７１２ｃ）が内側に形成されており、
前記回転子は、前記第１入口側空間の圧力および前記第２入口側空間の圧力が互いに逆方向に作用するように前記ハウジングの内側に配置されている、請求項１ないし７のいずれか１つに記載のバルブ装置。
【請求項１１】
バルブ装置であって、
流体が通過する流路孔（１４１、１４２、１４５、７２２、７２３、７２４、７２５）が少なくとも１つ形成された流路形成部（１４、７２０）が一体または別体に構成されるハウジング（１２、７０１）と、
回転力を出力する駆動部（１６）と、
前記駆動部が出力する回転力によって所定の軸心を中心に回転する回転部（１８、７３０）と、を備え、
前記回転部は、
シャフト（２０、７４０）と、
前記シャフトの回転に伴って前記流路孔の開度を増減する回転子（２２、２３、７５０）と、を含み、
前記回転部の少なくとも一部が前記ハウジングに回転可能に保持されており、
前記シャフトは、前記駆動部から回転力が伝えられる一端側部位（２０ａ）および前記一端側部位とは前記シャフトの軸心方向にて反対となる他端側部位（２０ｂ）を有し、前記他端側部位の少なくとも一部が前記ハウジングに回転可能に保持されており、
前記回転部は、前記他端側部位と前記回転子との間に隙間が形成されるように前記回転子を前記シャフトに連結する中間子（２４）を含み、
前記ハウジングは、前記他端側部位の少なくとも一部を受け入れる端部受入部（１２７、１２８）を有している、バルブ装置。
【請求項１２】
流体循環回路であって、
流体が通過する複数の機器（３０３、３０４、４０３、ＢＴ）と、
前記複数の機器を通過する前記流体の流量を調整するバルブ装置（１０、３１０、４３０、７０）と、を備え、
前記バルブ装置は、
前記流体が通過する流路孔（１４１、１４２、７２２、７２３、７２４、７２５）が少なくとも１つ形成された流路形成部（１４、７２０）が一体または別体に構成されるハウジング（１２、７０１）と、
回転力を出力する駆動部（１６）と、
前記駆動部が出力する回転力によって所定の軸心を中心に回転する回転部（１８、７３０）と、を有し、
前記回転部は、
シャフト（２０、７４０）と、
前記流路形成部のうち前記流路孔が開口する開口面（１４０、７２１）に相対して摺動する摺動面（２２０、７５１）を有し、前記シャフトの回転に伴って前記流路孔の開度を増減する回転子（２２、７５０）と、を含み、
前記回転部の少なくとも一部が前記ハウジングに回転可能に保持されており、
前記シャフトは、前記駆動部から回転力が伝えられる一端側部位（２０ａ）および前記一端側部位とは前記シャフトの軸心方向にて反対となる他端側部位（２０ｂ）を有し、前記他端側部位の少なくとも一部が前記ハウジングに回転可能に保持されており、
前記回転部は、前記他端側部位と前記回転子との間に隙間が形成されるように前記回転子を前記シャフトに連結する中間子（２４）を含み、
前記ハウジングは、前記他端側部位の少なくとも一部を受け入れる端部受入部（１２７、１２８）を有している、流体循環回路。
【手続補正２】
【補正対象書類名】明細書
【補正対象項目名】０００６
【補正方法】変更
【補正の内容】
【０００６】
請求項１に記載の発明は、
バルブ装置であって、
流体が通過する流路孔（１４１、１４２、７２２、７２３、７２４、７２５）が少なくとも１つ形成された流路形成部（１４、７２０）が一体または別体に構成されるハウジング（１２、７０１）と、
回転力を出力する駆動部（１６）と、
駆動部が出力する回転力によって所定の軸心を中心に回転する回転部（１８、７３０）と、を備え、
回転部は、
シャフト（２０、７４０）と、
流路形成部のうち流路孔が開口する開口面（１４０、７２１）に相対して摺動する摺動面（２２０、７５１）を有し、シャフトの回転に伴って流路孔の開度を増減する回転子（２２、７５０）と、を含み、
回転部の少なくとも一部がハウジングに回転可能に保持されており、
シャフトは、駆動部から回転力が伝えられる一端側部位（２０ａ）および一端側部位とはシャフトの軸心方向にて反対となる他端側部位（２０ｂ）を有し、他端側部位の少なくとも一部がハウジングに回転可能に保持されており、
回転部は、他端側部位と回転子との間に隙間が形成されるように回転子をシャフトに連結する中間子（２４）を含み、
ハウジングは、他端側部位の少なくとも一部を受け入れる端部受入部（１２７、１２８）を有している。
【手続補正３】
【補正対象書類名】明細書
【補正対象項目名】０００７
【補正方法】変更
【補正の内容】
【０００７】
請求項１１に記載の発明は、
バルブ装置であって、
流体が通過する流路孔（１４１、１４２、１４５、７２２、７２３、７２４、７２５）が少なくとも１つ形成された流路形成部（１４、７２０）が一体または別体に構成されるハウジング（１２、７０１）と、
回転力を出力する駆動部（１６）と、
駆動部が出力する回転力によって所定の軸心を中心に回転する回転部（１８、７３０）と、を備え、
回転部は、
シャフト（２０、７４０）と、
シャフトの回転に伴って流路孔の開度を増減する回転子（２２、２３、７５０）と、を含み、
回転部の少なくとも一部がハウジングに回転可能に保持されており、
シャフトは、駆動部から回転力が伝えられる一端側部位（２０ａ）および一端側部位とはシャフトの軸心方向にて反対となる他端側部位（２０ｂ）を有し、他端側部位の少なくとも一部がハウジングに回転可能に保持されており、
回転部は、他端側部位と回転子との間に隙間が形成されるように回転子をシャフトに連結する中間子（２４）を含み、
ハウジングは、他端側部位の少なくとも一部を受け入れる端部受入部（１２７、１２８）を有している。
【手続補正４】
【補正対象書類名】明細書
【補正対象項目名】０００８
【補正方法】変更
【補正の内容】
【０００８】
請求項１２に記載の発明は、
流体循環回路であって、
流体が通過する複数の機器（３０３、３０４、４０３、ＢＴ）と、
複数の機器を通過する流体の流量を調整するバルブ装置（１０、３１０、４３０、７０）と、を備え、
バルブ装置は、
流体が通過する流路孔（１４１、１４２、７２２、７２３、７２４、７２５）が少なくとも１つ形成された流路形成部（１４、７２０）が一体または別体に構成されるハウジング（１２、７０１）と、
回転力を出力する駆動部（１６）と、
駆動部が出力する回転力によって所定の軸心を中心に回転する回転部（１８、７３０）と、を有し、
回転部は、
シャフト（２０、７４０）と、
流路形成部のうち流路孔が開口する開口面（１４０、７２１）に相対して摺動する摺動面（２２０、７５１）を有し、シャフトの回転に伴って流路孔の開度を増減する回転子（２２、７５０）と、を含み、
回転部の少なくとも一部がハウジングに回転可能に保持されており、
シャフトは、駆動部から回転力が伝えられる一端側部位（２０ａ）および一端側部位とはシャフトの軸心方向にて反対となる他端側部位（２０ｂ）を有し、他端側部位の少なくとも一部がハウジングに回転可能に保持されており、
回転部は、他端側部位と回転子との間に隙間が形成されるように回転子をシャフトに連結する中間子（２４）を含み、
ハウジングは、他端側部位の少なくとも一部を受け入れる端部受入部（１２７、１２８）を有している。